【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
水性アルカリを濃縮する方法であって、
電解槽にカチオン膜を提供する工程と、
前記電解槽から、最初のアルカリ濃度をもつ水性アルカリを有する陰極液を提供する工程と、
前記陰極液を第１および第２の流れに分ける工程であって、前記第１および前記第２の流れは前記最初のアルカリ濃度を有するものである、前記分ける工程と、
一組の効用蒸発缶及びフラッシュ蒸発室から選択される蒸発システムを提供する工程と、
前記蒸発システムに前記第２の流れを流す工程と、
前記蒸発システムにおいて前記第２の流れから水を蒸発させる工程であって、これにより第２のアルカリ濃度を有する第３の流れを作るものである、前記蒸発させる工程と、
陰極液熱回収システムを提供する工程と、
前記陰極液熱回収システムを介して前記第３の流れを流す工程と、
前記陰極液熱回収システムを介して前記第１の流れを循環させることにより前記第３の流れから熱を回収する工程と、
を有する水性アルカリを濃縮する方法。
【請求項２】
請求項１記載の水性アルカリを濃縮する方法において、
前記蒸発システムを提供する工程は、前記蒸発システムとして三重効用蒸発缶を提供する工程を含むものであり、この三重効用蒸発缶は第１号缶、第２号缶、および第３号缶を有するものであり、
前記第２の流れから水を蒸発させる工程は、前記第３の流れから熱を回収する前に、前記第３号缶で前記水性アルカリを濃縮する工程を含むものである。
【請求項３】
請求項１記載の水性アルカリを濃縮する方法において、
前記蒸発システムを提供する工程は、前記蒸発システムとして三重効用蒸発缶およびフラッシュ蒸発室を提供する工程を含むものであり、この三重効用蒸発缶は第１号缶、第２号缶、および第３号缶を有するものであり、
前記第２の流れから水を蒸発させる工程は、前記フラッシュ蒸発室において前記水性アルカリを濃縮する工程を含むものであり、
前記第３の流れから熱を回収する工程は、前記フラッシュ蒸発室において前記水性アルカリを濃縮した後に、行われるものである。
【請求項４】
請求項１記載の水性アルカリを濃縮する方法において、
前記蒸発システムを提供する工程は、前記蒸発システムとして二重効用蒸発缶を提供する工程を含むものであり、この二重効用蒸発缶は第１号缶および第２号缶を有するものであり、
前記第２の流れから水を蒸発させる工程は、前記第３の流れから熱を回収する前に、前記第３号缶で前記水性アルカリを濃縮する工程を含むものである。
【請求項５】
請求項１記載の水性アルカリを濃縮する方法において、
前記蒸発システムを提供する工程は、前記蒸発システムとして二重効用蒸発缶およびフラッシュ蒸発室を提供する工程を含むものであり、この二重効用蒸発缶は第１号缶および第２号缶を有するものであり、
前記第２の流れから水を蒸発させる工程は、前記フラッシュ蒸発室において前記水性アルカリを濃縮する工程を含むものであり、
前記第３の流れから熱を回収する工程は、前記フラッシュ蒸発室において前記水性アルカリを濃縮した後に、行われるものであり、
さらに、前記第２号缶で、前記水性アルカリを濃縮する工程
を有するものである。
【請求項６】
請求項１記載の水性アルカリを濃縮する方法において、
前記蒸発システムを提供する工程は、前記蒸発システムとして単一効用蒸発缶を提供する工程を含むものであり、
前記第２の流れから水を蒸発させる工程は、前記第３の流れから熱を回収する前に、前記単一効用蒸発缶で前記水性アルカリを濃縮する工程を含むものである。
【請求項７】
請求項１記載の水性アルカリを濃縮する方法において、前記水性アルカリは最終アルカリ濃度を有するものであり、さらに、
前記最終アルカリ濃度が前記最初のアルカリ濃度より大きい場合、前記最終アルカリ濃度および前記最初のアルカリ濃度を調整する工程と
を有するものである。
【請求項８】
請求項１記載の水性アルカリを濃縮する方法において、この方法は、さらに、
前記陰極液熱回収システムに１若しくはそれ以上の熱交換器、１若しくはそれ以上のフラッシュ室、および１若しくはそれ以上の蒸発器本体を提供する工程を有するものである。
【請求項９】
請求項１記載の水性アルカリを濃縮する方法において、前記水性アルカリは、苛性ソーダおよび苛性カリの群のうちの１つである。
【請求項１０】
請求項１記載の水性アルカリを濃縮する方法において、この方法は、さらに、
前記水性アルカリを略７０重量％〜１００重量％で濃縮するものである。
【請求項１１】
水性苛性アルカリを濃縮する方法であって、
電解槽に膜細胞、陰極、および陽極を提供する工程であって、この膜細胞は当該陰極と当該陽極の間に配置されて陰極室および陽極室を作成するものである、前記提供する工程と、
前記電解槽の中に供給材料と水を挿入する工程と、
前記陰極と前記陽極に電流を流す工程と、
前記陰極室から、第１のアルカリ濃度をもつ水性苛性アルカリを有する陰極液流を取り除く工程と、
前記陰極液流を第１の流れと第２の流れに分ける工程であって、前記第１の流れ及び前記第２の流れは、第１のアルカリ濃度を有するものである、前記分ける工程と、
前記第１の流れを第１の熱交換器を通して流す工程と、
前記第１の流れを前記陰極室に戻す工程と、
前記第２の流れを第３の効用蒸発缶の中に流す工程であって、この第３の効用蒸発缶への第１の熱源は第２の効用蒸発缶からの第１の蒸気流である、前記流す工程と、
前記第３の効用蒸発缶から第３の流れを流す工程であって、この第３の流れは第２のアルカリ濃度を有し、これにより、前記第２のアルカリ濃度は第１のアルカリ濃度より大きいものである、前記流す工程と、
前記第３の流れをフラッシュ蒸発室の中に流す工程と、
前記フラッシュ蒸発室から第４の流れを流す工程と、
前記第４の流れを第５の流れと第６の流れに分ける工程であって、この第６の流れは第３のアルカリ濃度を有し、これにより、前記第３のアルカリ濃度は前記第２のアルカリ濃度より大きくなるものである、前記分ける工程と、
前記第５の流れを前記第１の熱交換器を通して流す工程と、
前記第５の流れを前記フラッシュ蒸発室の中に流す工程と、
前記第６の流れを前記第２の効用蒸発缶の中に流す工程であって、前記第２の効用蒸発缶の第２の熱源は第１の効用蒸発缶からの第２の蒸気流である、前記流す工程と、
前記第２の効用蒸発缶から第７の流れを流す工程であって、この第７の流れは第４のアルカリ濃度を有し、これにより、前記第４のアルカリ濃度は前記第３のアルカリ濃度より大きいものである、前記流す工程と、
前記第１の蒸気流を前記第２の効用蒸発缶から流す工程と、
前記第１の蒸気流を前記第３の効用蒸発缶を通して流す工程と、
前記第７の流れを前記第１の効用蒸発缶の中に流す工程であって、前記第１の効用蒸発缶の第３の熱源はスチーム流である、前記流す工程と、
前記スチーム流を前記第１の効用蒸発缶を通して流す工程と、
前記第２の蒸気流を前記第１の効用蒸発缶から流す工程と、
前記第２の蒸気流を前記第２の効用蒸発缶から流す工程と、
前記第１の効用蒸発缶から第８の流れを流す工程であって、この第８の流れは最終アルカリ濃度を有し、この最終アルカリ濃度は前記第４のアルカリ濃度より大きいものである、前記流す工程と
を有する水性苛性アルカリを濃縮する方法。
【請求項１２】
請求項１１記載の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第２の効用蒸発缶を通って流した後、前記第２の蒸気流を前記第２の熱交換器を通して流す工程と、
前記第９の流れと前記第１０の流れを結合する工程であって、前記第６の流れを再構成するものである、前記結合する工程と
を有するものである。
【請求項１３】
請求項１１記載の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第１の効用蒸発缶を通って流した後、前記スチーム流を前記第２の熱交換器を通して流す工程と、
前記第９の流れと前記第１０の流れを結合する工程であって、前記第６の流れを再構成するものである、前記結合する工程と
を有するものである。
【請求項１４】
請求項１１記載の水性苛性アルカリを濃縮する方法において、この方法は、さらに、
前記第６の流れを第９の流れおよび第１０の流れに分ける工程と、
前記第１０の流れを第２の熱交換器を通して流す工程と、
前記第８の流れを前記第２の熱交換器を通して流す工程と、
前記第９の流れと前記第１０の流れを結合する工程であって、前記第６の流れを再構成するものである、前記結合する工程と
を有するものである。
【請求項１５】
請求項１１記載の水性苛性アルカリを濃縮する方法において、この方法は、さらに、
前記第７の流れを第９の流れおよび第１０の流れに分ける工程と、
前記第９の流れを第２の熱交換器を通して流す工程と、
前記第８の流れを前記第２の熱交換器を通して流す工程と、
前記第９の流れと前記第１０の流れを結合する工程であって、前記第７の流れを再構成するものである、前記結合する工程と
を有するものである。
【請求項１６】
請求項１１記載の水性苛性アルカリを濃縮する方法において、この方法は、さらに、
前記第７の流れを第９の流れおよび第１０の流れに分ける工程と、
前記第１０の流れを第２の熱交換器を通して流す工程と、
前記第１の効用蒸発缶を通って流した後、前記スチーム流を前記第２の熱交換器を通して流す工程と、
前記第９の流れと前記第１０の流れを結合する工程であって、前記第７の流れを再構成するものである、前記結合する工程と
を有するものである。
【請求項１７】
請求項１１記載の水性苛性アルカリを濃縮する方法において、この方法は、さらに、
前記第８の流れを第２の熱交換器を通して流す工程と、
前記第２の熱交換器を通して冷却水流を流す工程と
を有するものである。
【請求項１８】
請求項１１記載の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第９の流れを第３の熱交換器を通して流す工程と、
前記第１０の流れを第４の熱変換器を通して流す工程と、
前記第９の流れと前記第１０の流れを結合する工程であって、前記第６の流れを再構成するものである、前記結合する工程と、
前記第２の効用蒸発缶を通って流した後、前記第２の蒸気流を前記第２の熱交換器を通して流す工程と、
前記第７の流れを第１１の流れと第１２の流れに分ける工程と、
前記第１１の流れを第５の熱交換器を通して流す工程と、
前記第１２の流れを第６の熱交換器を通して流す工程と、
前記第１１の流れと前記第１２の流れを結合する工程であって、前記第７の流れを再構成するものである、前記結合する工程と、
前記第１の効用蒸発缶を通って流した後、前記スチーム流を前記第５の熱交換器を通して流す工程と、
前記第５の効用蒸発缶を通って流した後、前記スチーム流を前記第３の熱交換器を通して流す工程と、
前記第８の流れを前記第６の熱交換器を通して流す工程と、
前記第８の流れを前記第４の熱交換器を通して流す工程と、
前記第８の流れを第７の熱交換器を通して流す工程と、
前記第７の熱交換器を通して冷却水流を流す工程と
を有するものである。
【請求項１９】
請求項１１記載の水性苛性アルカリを濃縮する方法において、
前記水性苛性アルカリは、水性苛性ソーダであり、
前記第１のアルカリ濃度は、略３２重量％苛性ソーダであり、
前記第２のアルカリ濃度は、略３５．７重量％苛性ソーダであり、
前記第３のアルカリ濃度は、略４０．６重量％苛性ソーダであり、
前記第４のアルカリ濃度は、略４４．９重量％苛性ソーダであり、
前記最終アルカリ濃度は、略５０重量％苛性ソーダである。
【請求項２０】
請求項１１記載の水性苛性アルカリを濃縮する方法において、
前記水性苛性アルカリは、水性苛性ソーダであり、
前記第１のアルカリ濃度は、略３１．０重量％〜略３３重量％苛性ソーダであり、
前記第２のアルカリ濃度は、略３４．６重量％〜略３６．８重量％苛性ソーダであり、
前記第３のアルカリ濃度は、略３９．４重量％〜略４１．８重量％苛性ソーダであり、
前記第４のアルカリ濃度は、略４３．５重量％〜略４６．３重量％苛性ソーダであり、
前記最終アルカリ濃度は、略４８．５重量％〜略５１．５重量％苛性ソーダである。
【請求項２１】
請求項１１記載の水性苛性アルカリを濃縮する方法において、
前記水性苛性アルカリは、水性苛性ソーダであり、
前記第１のアルカリ濃度は、略３１．０重量％〜略３３．０重量％苛性ソーダであり、
前記最終アルカリ濃度は、略４８．５重量％〜略５１．５重量％苛性ソーダである。
【請求項２２】
請求項１１記載の水性苛性アルカリを濃縮する方法において、この方法は、さらに、
前記第１の流れに第１の流量を、前記第２の流れに第２の流量を提供する工程であって、この第１の流量は当該第２の流量の８倍未満である、前記提供する工程を有するものである。
【請求項２３】
水性苛性アルカリを濃縮する方法であって、
電解槽に細胞膜、陰極、および陽極を提供する工程であって、この細胞膜は当該陰極と当該陽極の間に配置されて陰極室および陽極室を作成するものである、前記提供する工程と、
前記電解槽の中に供給材料と水を挿入する工程と、
前記陰極と陽極に電流を流す工程と、
前記陰極室から、第１のアルカリ濃度をもつ水性苛性アルカリを有する陰極液流を取り除く工程と、
前記陰極液流を第１の流れと第２の流れに分ける工程であって、前記第１の流れ及び前記第２の流れは第１のアルカリ濃度を有するものである、前記分ける工程と、
前記第１の流れを第１の熱変換器を通して流す工程と、
前記第１の流れを前記陰極室に戻す工程と、
前記第２の流れをフラッシュ蒸発室の中に流す工程と、
前記フラッシュ蒸発室から第３の流れを流す工程と、
前記第３の流れを第４の流れおよび第５の流れに分ける工程であって、この第５の流れは第２のアルカリ濃度を有し、これにより、前記第２のアルカリ濃度は前記第１のアルカリ濃度より大きいものである、前記分ける工程と、
前記第４の流れを前記第１の熱交換器を通して流す工程と、
前記第４の流れを前記フラッシュ蒸発室の中に流す工程と、
前記第５の流れを第３の効用蒸発缶の中に流す工程であって、この第３の効用蒸発缶の第１の熱源は第２の効用蒸発缶からの第１の蒸気流である、前記流す工程と、
前記第３の効用蒸発缶から第６の流れを流す工程であって、この第６の流れは第３のアルカリ濃度を有し、これにより、前記第３のアルカリ濃度は前記第２のアルカリ濃度より大きくなるものである、前記流す工程と、
前記第６の流れを前記第２の効用蒸発缶の中に流す工程であって、この第２の効用蒸発缶の第２の熱源は第１の効用蒸発缶からの第２の蒸気流である、前記流す工程と、
前記第２の効用蒸発缶から第７の流れを流す工程であって、この第７の流れは第４のアルカリ濃度を有し、これにより、前記第４のアルカリ濃度は前記第３のアルカリ濃度より大きいものである、前記流す工程と、
前記第１の蒸気流を前記第２の効用蒸発缶から流す工程と、
前記第１の蒸気流を前記第３の効用蒸発缶を通して流す工程と、
前記第７の流れを前記第１の効用蒸発缶の中に流す工程であって、前記第１の効用蒸発缶の第３の熱源はスチーム流である、前記流す工程と、
前記第２の蒸気流を前記第１の効用蒸発缶から流す工程と、
前記第２の蒸気流を前記第２の効用蒸発缶を通して流す工程と、
前記スチーム流を前記第１の効用蒸発缶を通して流す工程と、
前記第３の効用蒸発缶から第８の流れを流す工程であって、この第８の流れは最終アルカリ濃度を有し、これにより、前記最終アルカリ濃度は前記第４のアルカリ濃度より大きいものである、前記流す工程と
を有する水性苛性アルカリを濃縮する方法。
【請求項２４】
請求項２３の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第２の効用蒸発缶を通って流した後、前記第２の蒸気流を前記第２の熱交換器を通して流す工程と、
前記第９の流れと前記第１０の流れを結合する工程であって、前記第６の流れを再構成するものである、前記結合する工程と
を有するものである。
【請求項２５】
請求項２３の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第１の効用蒸発缶を通って流した後、前記スチーム流を前記第２の熱交換器を通して流す工程と、
前記第９の流れと前記第１０の流れを結合する工程であって、前記第６の流れを再構成するものである、前記結合する工程と
を有するものである。
【請求項２６】
請求項２３の水性苛性アルカリを濃縮する方法において、この方法は、さらに、
前記第６の流れを第９の流れおよび第１０の流れに分ける工程と、
前記第１０の流れを第２の熱交換器を通して流す工程と、
前記第８の流れを前記第２の熱交換器を通して流す工程と、
前記第９の流れと前記第１０の流れを結合する工程であって、前記第６の流れを再構成するものである、前記結合する工程と
を有するものである。
【請求項２７】
請求項２３の水性苛性アルカリを濃縮する方法において、この方法は、さらに、
前記第７の流れを第９の流れおよび第１０の流れに分ける工程と、
前記第１０の流れを第２の熱交換器を通して流す工程と、
前記第８の流れを前記第２の熱交換器を通して流す工程と、
前記第９の流れと前記第１０の流れを結合する工程であって、前記第７の流れを再構成するものである、前記結合する工程と
を有するものである。
【請求項２８】
請求項２３の水性苛性アルカリを濃縮する方法において、この方法は、さらに、
前記第７の流れを第９の流れおよび第１０の流れに分ける工程と、
前記第９の流れを第２の熱交換器を通して流す工程と、
前記第１の効用蒸発缶を通って流した後、前記スチーム流を前記第２の熱交換器を通して流す工程と
前記第９の流れと前記第１０の流れを結合する工程であって、前記第７の流れを再構成するものである、前記結合する工程と
を有するものである。
【請求項２９】
請求項２３の水性苛性アルカリを濃縮する方法において、この方法は、さらに、
前記第８の流れを第２の熱交換器を通して流す工程と、
前記第２の熱交換器を通して冷却水流を流す工程と
を有するものである。
【請求項３０】
請求項２３の水性苛性アルカリを濃縮する方法において、この方法は、さらに、
前記第６の流れを第９の流れおよび第１０の流れに分ける工程と、
前記第９の流れを第２の熱交換器を通して流す工程と、
前記第９の流れを第３の熱交換器を通して流す工程と、
前記第１０の流れを第４の熱交換器を通して流す工程と、
前記第９の流れと前記第１０の流れを結合させる工程であって、前記第６の流れを再構成するものである、前記結合する工程と、
前記第２の効用蒸発缶を通って流した後、前記第２の蒸気流を前記第２の熱交換器を通して流す工程と、
前記第７の流れを第１１の流れおよび第１２の流れに分ける工程と、
前記第１１の流れを第５の熱交換器を通して流す工程と、
前記第１２の流れを第６の熱交換器を通して流す工程と、
前記第１１の流れと前記第１２の流れを結合する工程であって、前記第７の流れを再構成するものである、前記結合する工程と、
前記第１の効用蒸発缶を通って流した後、前記スチーム流を前記第５の熱交換器を通して流す工程と、
前記第５の熱交換器を通って流した後、前記スチーム流を前記第３の熱交換器を通して流す工程と、
前記第８の流れを前記第６の熱交換器を通して流す工程と、
前記第８の流れを前記第４の熱交換器を通して流す工程と、
前記第８の流れを第７の熱交換器を通して流す工程と、
前記第７の熱交換器を通して冷却水流を流す工程と
を有するものである。
【請求項３１】
請求項２３記載の水性苛性アルカリを濃縮する方法において、
前記水性苛性アルカリは、水性苛性ソーダであり、
前記第１のアルカリ濃度は、略３２重量％苛性ソーダであり、
前記第２のアルカリ濃度は、略３７．１重量％苛性ソーダであり、
前記第３のアルカリ濃度は、略４０．０重量％苛性ソーダであり、
前記第４のアルカリ濃度は、略４４．２重量％苛性ソーダであり、
前記最終アルカリ濃度は、略５０重量％苛性ソーダである。
【請求項３２】
請求項２３記載の水性苛性アルカリを濃縮する方法において、
前記水性苛性アルカリは、水性苛性ソーダであり、
前記第１のアルカリ濃度は、略３１．０重量％〜略３３．０重量％苛性ソーダであり、
前記第２のアルカリ濃度は、略３６．０重量％〜略３８．２重量％苛性ソーダであり、
前記第３のアルカリ濃度は、略３８．８重量％〜略４１．２重量％苛性ソーダであり、
前記第４のアルカリ濃度は、略４２．９重量％〜略４５．５重量％苛性ソーダであり、
前記最終アルカリ濃度は、略４８．５重量％〜略５１．５重量％苛性ソーダである。
【請求項３３】
請求項２３記載の水性苛性アルカリを濃縮する方法において、
前記水性苛性アルカリは、水性苛性ソーダであり、
前記第１のアルカリ濃度は、略３１．０重量％〜略３３．０重量％苛性ソーダであり、
前記最終アルカリ濃度は、略４８．５重量％〜略５１．５重量％苛性ソーダである。
【請求項３４】
請求項２３記載の水性苛性アルカリを濃縮する方法において、この方法は、さらに、
前記第１の流れに第１の流量を、前記第２の流れに第２の流量を提供する工程であって、この第１の流量は当該第２の流量の８倍未満である、前記提供する工程を有するものである。
【請求項３５】
水性苛性アルカリを作成および濃縮する装置であって、
細胞膜、陰極、および陽極を有する電解槽と、
前記陰極と前記陽極の間に配置された前記細胞膜と、
水性苛性アルカリを第１のアルカリ濃度で搬送する第１の配管手段と接続された前記電解槽と、
水性苛性アルカリを前記第１のアルカリ濃度で搬送する第２の配管手段と、水性苛性アルカリを前記第１の濃度で搬送する第３の配管手段とに分岐する前記第１の配管手段と、
第１の熱交換器に接続された前記第２の配管手段と、
水性苛性アルカリを前記第１のアルカリ濃度で搬送する第４の配管手段に接続された前記第１の熱交換器と、
前記電解槽に接続された前記第４の配管手段と、
第３の効用蒸発缶に接続された前記第３の配管手段と、
水性苛性アルカリを第２の濃度で搬送する第５の配管手段に接続された前記第３の効用蒸発缶であって、これにより、前記第２のアルカリ濃度は前記第１のアルカリ濃度より大きくなるものである、前記第１の効用蒸発缶と、
フラッシュ蒸発室に接続された前記第５の配管手段と、
水性苛性アルカリを第３のアルカリ濃度で搬送する第６の配管手段に接続された前記フラッシュ蒸発室であって、これにより、前記第３のアルカリ濃度は前記第２のアルカリ濃度より大きくなるものである、前記フラッシュ蒸発室と、
水性苛性アルカリを前記第３のアルカリ濃度で搬送する第７の配管手段と、水性苛性アルカリを前記第３のアルカリ濃度で搬送する第８の配管手段とに分岐する前記第６の配管手段と、
前記第１の熱交換器に接続された前記第７の配管手段と、
水性苛性アルカリを前記第３のアルカリ濃度で搬送する第９の配管手段に接続された前記第１の熱交換器と、
前記フラッシュ蒸発室に接続された前記第９の配管手段と、
第２の効用蒸発缶に接続された前記第８の配管手段と、
水性苛性アルカリを第４のアルカリ濃度で搬送する第１０の配管手段に接続された前記第２の効用蒸発缶であって、これにより、前記第４のアルカリ濃度は前記第３のアルカリ濃度より大きくなるものである、前記第２の効用蒸発缶と、
第１の効用蒸発缶に接続された前記第１０の配管手段と、
第１の温度を有するスチームを搬送する第１１の配管手段に接続された前記第３の配向蒸発缶と、
第２の温度を有する水蒸気を搬送する第１２の配管手段に接続された前記第１の効用蒸発缶と、
前記第２の効用蒸発缶に接続された第１２の配管手段と、
第３の温度を有する水蒸気を搬送する第１３の配管手段に接続された前記第２の効用蒸発缶と、
前記第３の効用蒸発缶に接続された前記第１３の配管手段と、
水性苛性アルカリを最終アルカリ濃度および第４の温度で搬送する第１４の配管手段に接続された第１の効用蒸発缶であって、これにより、前記最終アルカリ濃度は前記第４のアルカリ濃度より大きくなるものである、前記第１の効用蒸発缶と
を有する水性苛性アルカリを作成および濃縮する装置。
【請求項３６】
請求項３５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第８の配管手段と、
前記第２の熱交換器に接続された前記第１５の配管手段と、
前記第２の熱交換器に接続された前記第１７の配管手段と、
冷却水蒸気を第５の温度で搬送する第１８の配管手段に接続された第２の効用蒸発缶であって、これにより、前記第２の温度は前記第５の温度より高くなるものである、前記第２の効用蒸発缶と、
前記第２の熱交換器に接続された前記第１８の配管手段と
を有するものである。
【請求項３７】
請求項３５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第８の配管手段と、
前記第２の熱交換器に接続された前記第１５の配管手段と、
前記第２の熱交換器に接続された前記第１７の配管手段と、
冷却スチームを第５の温度で搬送する第１８の配管手段に接続された前記第１の効用蒸発缶であって、これにより、前記第１の温度は前記第５の温度より高くなるものである、前記第１の効用蒸発缶と、
前記第２の熱交換器に接続された前記第１８の配管手段と
を有するものである。
【請求項３８】
請求項３５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第８の配管手段と、
前記第２の熱交換器に接続された前記第１６の配管手段と、
前記第２の熱交換器に接続された前記第１７の配管手段と、
前記第２の熱交換器に接続された前記第１４の配管手段と、
を有するものである。
【請求項３９】
請求項３５記載の水性苛性アルカリを作成および濃縮する装置において、この装置は、さらに、
水性苛性アルカリを前記第４のアルカリ濃度で搬送する第１５の配管手段と、水性苛性アルカリを前記第４のアルカリ濃度で搬送する第１６の配管手段と、第２の熱交換器と、水性苛性アルカリを前記第４のアルカリ濃度で搬送する第１７の配管手段とを有する前記第１０の配管手段と、
前記第２の熱交換器に接続された前記第１５の配管手段と、
前記第２の熱交換器に接続された前記第１７の配管手段と、
冷却スチームを第５の温度で搬送する第１８の配管手段に接続された第１の効用蒸発缶であって、これにより、前記第１の温度は前記第５の温度より高くなるものである、前記第１の効用蒸発缶と、
前記第２の熱交換器に接続された前記第１８の配管手段と
を有するものである。
【請求項４０】
請求項３５記載の水性苛性アルカリを作成および濃縮する装置において、この装置は、さらに、
水性苛性アルカリを前記第４のアルカリ濃度で搬送する第１５の配管手段と、水性苛性アルカリを前記第４のアルカリ濃度で搬送する第１６の配管手段と、第２の熱交換器と、水性苛性アルカリを前記第４のアルカリ濃度で搬送する第１７の配管手段とを有する前記第１０の配管手段と、
前記第２の熱交換器に接続された前記第１６の配管手段と、
前記第２の熱交換器に接続された前記第１７の配管手段と、
前記第２の熱交換器に接続された前記第１４の配管手段と、
を有するものである。
【請求項４１】
請求項３５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、水性苛性アルカリを前記第３のアルカリ濃度で搬送する第１７の配管手段と、水性苛性アルカリを前記第３のアルカリ濃度で搬送する第１８の配管手段と、水性苛性アルカリを前記第３のアルカリ濃度で搬送する第１９の配管手段と、第２の熱交換器と、第３の熱交換器と、第４の熱交換器とを有する前記第８の配管手段と、
前記第２の熱交換器に接続された前記第１５の配管手段と、
前記第１７の配管手段に接続された前記第２の熱交換器と、
前記第３の熱交換器に接続された前記第１７の配管手段と、
前記１８の配管手段に接続された前記第３の熱交換器と、
前記第４の熱交換器に接続された前記第１６の配管手段と、
前記第１９の配管手段に接続された前記第４の熱交換器と、
前記第１８の配管手段に接続された前記第１９の配管手段と、
水性苛性アルカリを前記第４のアルカリ濃度で搬送する第２０の配管手段と、水性苛性アルカリを前記第４のアルカリ濃度で搬送する第２１の配管手段と、水性苛性アルカリを前記第４のアルカリ濃度で搬送する第２２の配管手段と、水性苛性アルカリを前記第４のアルカリ濃度で搬送する第２３の配管手段と、第５の熱交換器と、第６の熱交換器とを有する前記第１０の配管手段と、
前記第５の熱交換器に接続された前記第２０の配管手段と、
前記第２２の配管手段に接続された第５の熱交換器と、
前記第６の熱交換器に接続された前記２１の配管手段と、
前記第２３の配管手段に接続された前記第６の熱交換器と、
前記第２３の熱交換器に接続された前記第２２の配管手段と、
前記第６の熱交換器に接続された前記第１４の配管手段と、
水性苛性アルカリを前記最終アルカリ濃度および第５の温度で搬送する第２４の配管手段に接続された前記第６の熱交換器であって、これにより、前記第４の温度は前記第５の温度より高くなるものである、前記第６の熱交換器と、
前記第４の熱交換器に接続された前記第２４の配管手段と、
水性苛性アルカリを前記最終アルカリ濃度および第６の温度で搬送する第２５の配管手段に接続された前記第４の熱交換器であって、これにより、前記第５の温度は前記第６の温度より高くなるものである、前記第４の熱交換器と、
冷却スチームを第７の温度で搬送する第２６の配管手段に接続された前記第１の効用蒸発缶であって、これにより、前記第１の温度は前記第７の温度より高くなるものである、前記第１の効用蒸発缶と、
前記第５の熱交換器に接続された前記第２６の配管手段と、
冷却スチームを第８の温度で搬送する第２７の配管手段に接続された前記第５の熱交換器であって、これにより、前記第７の温度は前記第８の温度より高くなるものである、前記第５の効用蒸発缶と、
前記第３の熱交換器に接続された前記第２７の配管手段と、
冷却水蒸気を第９の温度で搬送する第２８の配管手段に接続された前記第２の効用蒸発缶であって、これにより、前記第２の温度は前記第８の温度より高くなるものである、前記第２の効用蒸発缶と、
前記第２の熱交換器に接続された前記第２８の配管手段と
を有するものである。
【請求項４２】
請求項３５記載の水性苛性アルカリを作成および濃縮する装置において、この装置は、さらに、
前記水性苛性アルカリは水性苛性ソーダであり、
前記第１のアルカリ濃度は、略３２．０重量％苛性ソーダであり、
前記第２のアルカリ濃度は、略３５．７重量％苛性ソーダであり、
前記第３のアルカリ濃度は、略４０．６重量％苛性ソーダであり、
前記第４のアルカリ濃度は、略４４．９重量％苛性ソーダであり、
前記最終アルカリ濃度は、略５０重量％苛性ソーダである。
【請求項４３】
請求項３５記載の水性苛性アルカリを作成および濃縮する装置において、この装置は、さらに、
前記水性苛性アルカリは水性苛性ソーダであり、
前記第１のアルカリ濃度は、略３１．０重量％〜略３３．０重量％苛性ソーダであり、
前記第２のアルカリ濃度は、略３４．６重量％〜略３６．８重量％苛性ソーダであり、
前記第３のアルカリ濃度は、略３９．４重量％〜略４１．８重量％苛性ソーダであり、
前記第４のアルカリ濃度は、略４３．５重量％〜略４６．３重量％苛性ソーダであり、
前記最終アルカリ濃度は、略４８．５重量％〜略５１．５重量％苛性ソーダである。
【請求項４４】
請求項３５記載の水性苛性アルカリを作成および濃縮する装置において、この装置は、さらに、
前記水性苛性アルカリは水性苛性ソーダであり、
前記第１のアルカリ濃度は、略３１．０重量％〜略３３．０重量％苛性ソーダであり、
前記最終アルカリ濃度は、略４８．５重量％〜略５１．５重量％苛性ソーダである。
【請求項４５】
水性苛性アルカリを作成および濃縮する装置であって、
細胞膜、陰極、および陽極を有する電解槽と、
前記陽極と前記陽極の間に配置された前記細胞膜と、
水性苛性アルカリを第１のアルカリ濃度で搬送する第１の配管手段に接続された前記電解槽と、
水性苛性アルカリを前記第１のアルカリ濃度で搬送する第２の配管手段と、水性苛性アルカリを前記第１のアルカリ濃度で搬送する第３の配管手段とに分岐する前記第１の配管手段と、
第１の熱交換器に接続された前記第２の配管手段と、
水性苛性アルカリを第１のアルカリ濃度で搬送する第４の配管手段に接続された前記第１の熱交換器と、
前記電解槽に接続された前記第４の配管手段と、
フラッシュ蒸発室に接続された前記第３の配管手段と、
水性苛性アルカリを前記第２のアルカリ濃度で搬送する第５の配管手段に接続された前記フラッシュ蒸発室であって、これにより、前記第２のアルカリ濃度は前記第１のアルカリ濃度より大きいものである、前記フラッシュ蒸発室と、
水性苛性アルカリを前記第２のアルカリ濃度で搬送する第６の配管手段と、水性苛性アルカリを前記第２のアルカリ濃度で搬送する第７の配管手段とに分岐する第５の配管手段と、
前記第１の熱交換器に接続された前記第６の配管手段と、
水性苛性アルカリを前記第２のアルカリ濃度で搬送する第８の配管手段に接続された前記第１の熱交換器と、
前記フラッシュ蒸発室に接続された前記第８の配管手段と、
第３の効用蒸発缶に接続された前記第７の配管手段と、
水性苛性アルカリを第３のアルカリ濃度で搬送する第９の配管手段に接続された前記第３の効用蒸発缶であって、これにより、前記第３のアルカリ濃度は前記第２のアルカリ濃度より大きいものである、前記第３の効用蒸発缶と、
第２の効用蒸発缶に接続された前記第９の配管手段と、
水性苛性アルカリを第４のアルカリ濃度で搬送する第１０の配管手段に接続された前記第２の効用蒸発缶であって、これにより、前記第４のアルカリ濃度は前記第３のアルカリ濃度より大きいものである、前記第２の効用蒸発缶と、
第１の効用蒸発缶に接続された前記第１０の配管手段と、
第１の温度を有するスチームを搬送する第１１の配管手段に接続された前記第１の効用蒸発缶と、
第２の温度を有する水蒸気を搬送する第１２の配管手段に接続された前記第１の効用蒸発缶と、
第２の効用蒸発缶に接続された前記第１２の配管手段と、
水蒸気を第３の温度で搬送する第１３の配管手段に接続した前記第２の効用蒸発缶と、
第３の効用蒸発缶に接続された前記第１３の配管手段と、
水性苛性アルカリを最終アルカリ濃度および第４のアルカリ温度で搬送する第１４の配管手段に接続された前記第１の効用蒸発缶であって、これにより、前記最終アルカリ濃度は前記第４のアルカリ濃度より大きいものである、前記第３の効用蒸発缶と、
を有する水性苛性アルカリを作成および濃縮する装置。
【請求項４６】
請求項４５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第９の配管手段と、
前記第２の熱交換器に接続された前記第１５の配管手段と、
前記第１７の配管手段に接続された前記第２の熱交換器と、
水性苛性アルカリを第５の温度で搬送する第１８の配管手段に接続された前記第２の効用蒸発缶であって、これにより、前記第２の温度は前記第５の温度より高くなるものである、前記第２の効用蒸発缶と、
前記第２の熱交換器に接続された前記第１８の配管手段と
を有するものである。
【請求項４７】
請求項４５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第９の配管手段と、
前記第２の熱交換器に接続された前記第１５の配管手段と、
前記第１７の配管手段に接続された前記第２の熱交換器と、
冷却スチームを第５の温度で搬送する第１８の配管手段に接続された前記第１の効用蒸発缶であって、これにより、前記第１の温度は前記第５の温度より高くなるものである、前記第１の効用蒸発缶と、
前記第２の熱交換器に接続された前記第１８の配管手段と
を有するものである。
【請求項４８】
請求項４５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、第２の熱交換器と、水性苛性アルカリを前記第３のアルカリ濃度で搬送する第１７の配管手段とを有する前記第９の配管手段と、
前記第２の熱交換器に接続された前記第１６の配管手段と、
前記第１７の配管手段に接続された前記第２の熱交換器と、
前記第２の熱交換器に接続された前記第１４の配管手段と
を有するものである。
【請求項４９】
請求項４５記載の水性苛性アルカリを作成および濃縮する装置において、この装置は、さらに、
水性苛性アルカリを前記第４のアルカリ濃度で搬送する第１５の配管手段と、水性苛性アルカリを前記第４のアルカリ濃度で搬送する第１６の配管手段と、第２の熱交換器と、水性苛性アルカリを前記第４のアルカリ濃度で搬送する第１７の配管手段とを有する前記第１０の配管手段と、
前記第２の熱交換器に接続された前記第１５の配管手段と、
前記第１７の配管手段に接続された前記第２の熱交換器と、
冷却スチームを第５の温度で搬送する第１８の配管手段に接続された前記第１の効用蒸発缶であって、これにより、前記第１の温度は前記第５の温度より高くなるものである、前記第１の効用蒸発缶と、
前記第２の熱交換器に接続された前記第１８の配管手段と
を有するものである。
【請求項５０】
請求項４５記載の水性苛性アルカリを作成および濃縮する装置において、この装置は、さらに、
水性苛性アルカリを前記第４のアルカリ濃度で搬送する第１５の配管手段と、水性苛性アルカリを前記第４のアルカリ濃度で搬送する第１６の配管手段と、第２の熱交換器と、水性苛性アルカリを前記第４のアルカリ濃度で搬送する第１７の配管手段とを有する前記第１０の配管手段と、
前記第２の熱交換器に接続された前記第１６の配管手段と、
前記第１７の配管手段に接続された前記第２の熱交換器と、
前記第２の熱交換器に接続された前記第１４の配管手段と
を有するものである。
【請求項５１】
請求項４５記載の水性苛性アルカリを作成および濃縮する装置において、この装置は、さらに、
水性苛性アルカリを前記第３のアルカリ濃度で搬送する第１５の配管手段と、水性苛性アルカリを前記第３のアルカリ濃度で搬送する第１６の配管手段と、水性苛性アルカリを前記第３のアルカリ濃度で搬送する第１７の配管手段と、水性苛性アルカリを前記第３のアルカリ濃度で搬送する第１８の配管手段と、水性苛性アルカリを前記第３のアルカリ濃度で搬送する第１９の配管手段と、第２の熱交換器と、第３の熱交換器と、第４の熱交換器とを有する前記第９の配管手段と、
前記第２の熱交換器に接続された第１５の配管手段と、
前記第１７の配管手段に接続された前記第２の熱交換器と、
前記第３の熱交換器に接続された第１７の配管手段と、
前記第１８の配管手段に接続された前記第３の熱交換器と、
前記第４の熱交換器に接続された第１６の配管手段と、
前記第１９の配管手段に接続された前記第４の熱交換器と、
前記第１８の配管手段に接続された前記第１９の配管手段と、
水性苛性アルカリを前記第４のアルカリ濃度で搬送する第２０の配管手段と、水性苛性アルカリを前記第４のアルカリ濃度で搬送する第２１の配管手段と、水性苛性アルカリを前記第４のアルカリ濃度で搬送する第２２の配管手段と、水性苛性アルカリを前記第４のアルカリ濃度で搬送する第２３の配管手段と、第５の熱交換器と、第６の熱交換器とを有する前記第１０の配管手段と、
前記第５の熱交換器に接続された第２０の配管手段と、
前記第２２の配管手段に接続された前記第５の熱交換器と、
前記第６の熱交換器に接続された第２１の配管手段と、
前記第２３の配管手段に接続された前記第６の熱交換器と、
前記第６の熱交換器に接続された第１４の配管手段と、
前記第２３の配管手段に接続された第２２の配管手段と、
水性苛性アルカリを前記最終アルカリ濃度および第５の温度で搬送する第２４の配管手段に接続された前記第６の熱交換器であって、これにより、前記第４の温度は前記第５の温度より高くなるものである、前記第６の熱交換器と、
前記第４の熱交換器と接続された前記第２４の配管手段と、
水性苛性アルカリを前記最終アルカリ濃度および第６の温度で搬送する第２５の配管手段に接続された前記第４の熱交換器であって、これにより、前記第５の温度は前記第６の温度より高くなるものである、前記第４の熱交換器と、
冷却スチームを第７の温度で搬送する第２６の配管手段に接続された前記第１の熱交換器であって、これにより、前記第１の温度は前記第７の温度より高くなるものである、前記第１の効用蒸発缶と、
前記第５の熱交換器と接続された前記第２６の配管手段と、
冷却スチームを第８の温度で搬送する第２７の配管手段に接続された前記第５の熱交換器であって、これにより、前記第７の温度は前記第８の温度より高くなるものである、前記第５の熱交換器と、
前記第３の熱交換器と接続された前記第２７の配管手段と、
冷却水蒸気を第９の温度で搬送する第２８の配管手段に接続された前記第２の効用蒸発缶であって、これにより、前記第２の温度は前記第９の温度より高くなるものである、前記第２の効用蒸発缶と、
前記第２の熱交換器に接続された前記第２８の配管手段と
を有するものである。
【請求項５２】
請求項４５記載の水性苛性アルカリを作成および濃縮する装置において、この装置は、さらに、
前記水性苛性アルカリは水性苛性ソーダであり、
前記第１のアルカリ濃度は、略３２．０重量％苛性ソーダであり、
前記第２のアルカリ濃度は、略３７．１重量％苛性ソーダであり、
前記第３のアルカリ濃度は、略４０．０重量％苛性ソーダであり、
前記第４のアルカリ濃度は、略４４．２重量％苛性ソーダであり、
前記最終アルカリ濃度は、略５０重量％苛性ソーダある。
【請求項５３】
請求項４５記載の水性苛性アルカリを作成および濃縮する装置において、この装置は、さらに、
前記水性苛性アルカリは水性苛性ソーダであり、
前記第１のアルカリ濃度は、略３１．０重量％〜略３３．０重量％苛性ソーダであり、
前記第２のアルカリ濃度は、略３６．０重量％〜略３８．２重量％苛性ソーダであり、
前記第３のアルカリ濃度は、略３８．８重量％〜略４１．２重量％苛性ソーダであり、
前記第４のアルカリ濃度は、略４２．９重量％〜略４５．５重量％苛性ソーダであり、
前記最終アルカリ濃度は、略４８．５重量％〜略５１．５重量％苛性ソーダである。
【請求項５４】
請求項４５記載の水性苛性アルカリを作成および濃縮する装置において、この装置は、さらに、
前記水性苛性アルカリは水性苛性ソーダであり、
前記第１のアルカリ濃度は、略３１．０重量％〜略３３．０重量％苛性ソーダであり、
前記最終アルカリ濃度は、略４８．５重量％〜略５１．５重量％苛性ソーダである。